(57)【特許請求の範囲】
【請求項１】
基端がウォッシャポンプに連結されるウォッシャホースを保持するべくホース保持孔を備えたウォッシャタンクであって、該ホース保持孔は、ウォッシャタンクに一体形成の板状部分に開設され、ホース保持孔に保持されるウォッシャホースの被保持部を、該被保持部の両側部位が板状部分の一面側に位置するようにして被保持部の中間部位を他面側に挿通せしめるための長孔と、該長孔中間部の孔幅を狭くして、前記他面側に挿通した被保持部中間部位の抜け止め係止をする抜け止め部とを備えたことを特徴とするウォッシャタンク。
【請求項２】
請求項１において、長孔端部に、一面側が陥没し他面側が膨出してウォッシャホースの被保持部端部を嵌合するための凹部を形成したことを特徴とするウォッシャタンク。
【請求項３】
請求項１または２において、ホース保持孔の抜け止め部に隣接する長孔の少なくとも一方の孔幅は、抜け止め部の孔幅より大径であってウォッシャホースの外径以下に設定されていることを特徴とするウォッシャタンク。
【発明の詳細な説明】
【０００１】
【発明の属する技術分野】
本発明は、乗用車、トラック、バス等の車両に装備されるウォッシャタンクの技術分野に属するものである。
【０００２】
【従来の技術】
一般に、この種車両には、窓面を洗浄するためのウォッシャ液が貯溜されるウォッシャタンクが装備されており、そして該ウォッシャタンク内のウォッシャ液は、ウォッシャタンクに設けられるウォッシャポンプから吐出され、ウォッシャホースを通ってウォッシャノズルから窓面に噴射されるようになっている。
このものにおいて、前記ウォッシャホースをウォッシャポンプからウォッシャノズルまで配設するにあたり、ウォッシャタンクにホース保持部を一体形成し、該ホース保持部にウォッシャホースを保持せしめて、ウォッシャホースを所望の方向に導くと共に、ウォッシャホースの不用意な移動を規制するようにしたものがある。この様なホース保持部として、従来、図７（Ａ）、（Ｂ）に示す如きものが知られているが、これらのものは、ウォッシャタンクをブロー成形する際に一体成形されるものであって、図７（Ａ）に示されるものは、複数の半割り状の保持爪９でウォッシャホース３を保持する構成になっており、また図７（Ｂ）に示されるものは、板状部１０に開設した保持孔１０ａに、該保持孔１０ａに連通状に形成される幅狭の出入口１０ｂから、板状部１０の一面側から他面側に向けてウォッシャホース３を挿通せしめることによりウォッシャホースを保持する構成になっている。
【０００３】
【発明が解決しようとする課題】
しかるに、前記ウォッシャタンクに形成されるホース保持部は、ウォッシャホースを傷つけないようにブロー成形時に生じるバリを除去する必要があるが、前記図７（Ａ）のものは、複数の保持爪の円弧状部のバリ取りが面倒であって、生産性に劣るという問題がある。
一方、前記図７（Ｂ）のものを用いた場合、保持孔が一箇所だけであるとウォッシャホースの保持が難しく、そこで複数の保持孔にウォッシャホースを挿通せしめることになるが、この場合、ウォッシャホースが中途部で折れてしまわないように緩やかな状態で複数の保持孔間を引き回す必要があって、ホース長が長くなってしまうとともに引回し作業が面倒という問題がある。これを回避するため、図７（Ｃ）に示す如く、保持孔１０ａを長孔状にしたものも提唱されているが、このものは、長孔内でウォッシャホースが小さく動いてしまって不安定で、確実な保持ができないという問題があり、これらに本発明が解決しようとする課題があった。
【０００４】
【課題を解決するための手段】
本発明は、上記の如き実情に鑑み、これらの課題を解決することを目的として創作されたものであって、基端がウォッシャポンプに連結されるウォッシャホースを保持するべくホース保持孔を備えたウォッシャタンクであって、該ホース保持孔は、ウォッシャタンクに一体形成の板状部分に開設され、ホース保持孔に保持されるウォッシャホースの被保持部を、該被保持部の両側部位が板状部分の一面側に位置するようにして被保持部の中間部位を他面側に挿通せしめるための長孔と、該長孔中間部の孔幅を狭くして、前記他面側に挿通した被保持部中間部位の抜け止め係止をする抜け止め部とを備えたものである。
そして、この様にすることにより、ウォッシャホースを引き回すことなく確実に保持でき、しかもウォッシャタンクのブロー成形時に発生するホース保持孔部位のバリ除去作業が容易であって、生産性が向上する。
このものにおいて、長孔端部に、一面側が陥没し他面側が膨出してウォッシャホースの被保持部端部を嵌合するための凹部を形成することにより、ウォッシャホースを曲りの少ない状態でより確実に保持できると共に、ウォッシャホースをしっかりとレイアウトすることができる。
また、ホース保持孔の抜け止め部に隣接する長孔の少なくとも一方の孔幅は、抜け止め部の孔幅より大径であってウォッシャホースの外径以下に設定することにより、ホース保持孔に挿通されたウォッシャホースのホース長方向の移動を規制でき、ウォッシャホースをさらに確実に保持できる。
【０００５】
【発明の実施の形態】
次に、本発明の実施の形態を図面に基づいて説明する。図面において、１は車両に装備されるウォッシャタンクであって、該ウォッシャタンク１内に貯溜されたウォッシャ液は、ウォッシャタンク１の下部に取り付けられたウォッシャポンプ２から吐出されて、ウォッシャホース３を経由して図示しないウォッシャノズルまで導かれ、該ウォッシャノズルから窓面に噴射されるようになっている等の基本的構成は、従来通りである。
【０００６】
前記ウォッシャホース３は、可撓性を有するゴム材等で形成されるものであって、その基端部は前記ウォッシャポンプ２の吐出口に接続されている。そして該ウォッシャホース３は、上記ウォッシャポンプ２の吐出口から、ウォッシャタンク１に形成される後述のホース保持部４により保持されてウォッシャタンク１の上方に導かれ、前記ウォッシャノズルに至るように配管されている。
【０００７】
前記ウォッシャタンク１は、ブロー成形により形成されるものであるが、該ウォッシャタンク１の一側面の型割線（パ−ティングライン、Ｐ／Ｌ）上には、前記ホース保持部４が一体成形されている。
該ホース保持部４は、ウォッシャタンク１の一側面に突設された板状部４ａに、上下方向を向いた長孔状のホース保持孔４ｂが開設され、さらに該ホース保持孔４ｂの上側にホース抱囲部（本発明の凹部に相当する）４ｃが形成されたものであるが、上記ホース保持孔４ｂの孔幅は、ホース保持孔４ｂの上部、中間部、下部でそれぞれ異なるように設定されている。
つまり、ホース保持孔４ｂの上部は、孔幅が最も広く設定される第一幅広部４ｄであって、該第一幅広部４ｄの孔幅Ｂは、ウォッシャホース３のホース外径Ａよりも広く（Ｂ＞Ａ）設定されている。また、ホース保持孔４ｂの中間部は、孔幅が最も狭く設定される幅狭部（本発明の抜け止め部に相当する）４ｅであって、該幅狭部４ｅの孔幅Ｃはホース外径Ａよりも狭く（Ｃ＜Ａ）設定されていて、後述するウォッシャホース保持作業時においてウォッシャホース３を強制的に板状部４ａの一面側から他面側に通過させることはできるが、ウォッシャホース３の自然状態では幅狭部４ｅを通過することができないようになっている。さらに、ホース保持孔４ｂの下部は、前記第一幅広部４ｄより幅狭であるが幅狭部４ｅよりは幅広の孔幅Ｄを有する第二幅広部４ｆであって、該孔幅Ｄはホース外径Ａと等しいか少し狭く（Ｂ＞Ａ≧Ｄ＞Ｃ）設定されており（本実施の形態では、第二幅広部４ｆの孔幅Ｄはホース外径Ａより僅かに狭く設定されている）、第二幅広部４ｆに挿通せしめたウォッシャホース３を軽保持して該ウォッシャホース３の上下方向（ホース長方向）の移動を規制できるようになっている。また、この第二幅広部４ｆは、前記第一幅広部４ｄ、幅狭部４ｅに対し、孔長方向に長く設定されている。
【０００８】
一方、ホース抱囲部４ｃは、前記第一幅広部４ｄの上端から連続する部位に形成されるものであるが、該ホース抱囲部４ｃは、板状部４ａの一面側が半円筒形状に陥没し、他面側が膨出した凹溝形状をしており、かつウォッシャホース３を上下方向を向く状態で嵌合できるよう溝方向が上下方向を向き、その上下両端は開口している。そして、このホース抱囲部４ｃの溝幅Ｅは、ウォッシャホース３を略弛みのない状態で嵌合できるようホース外径Ａと等しいか僅かに幅広（Ｅ≧Ａ）に設定されている。さらに、ホース抱囲部４ｃの上下開口端の溝内径側縁部は、テーパ部４ｇ、４ｈとなるよう面取りされていて、ホース抱囲部４ｃに嵌合されるウォッシャホース３の保護を計っている。
【０００９】
そして、前記ホース保持部４にウォッシャホース３を保持せしめるにあたり、ウォッシャホース３の被保持部を、板状部４ａの一面側からホース保持孔４ｂおよびホース抱囲部４ｃに位置合わせした状態で、第一幅広部４ｄの部位のウォッシャホース３を指で板状部一面側から他面側に押し込むと、該他面側に押し込まれた部位に引っ張られて、第一幅広部４ｄの下方部位が幅狭部４ｅを越えて板状部他面側に位置すると共に、第一幅広部４ｄの上方部位はホース抱囲部４ｃに嵌合する。而してウォッシャホース３は、被保持部の上下両側部位が板状部一面側に位置し、被保持部の中間部位が板状部他面側に位置する状態でホース保持部４に保持されるようになっているが、この場合、板状部他面側に位置するウォッシュホース３の中間部位は、ホース保持孔４ｂの幅狭部４ｅに係止することにより板状部一面側への抜け止めがなされる構成になっている。
【００１０】
ところで、前記第一幅広部４ｄの孔幅Ｂは、ホース抱囲部４ｃ外径幅Ｆと等しく（Ｂ＝Ｆ）設定されている。つまり、第一幅広部４ｄの孔幅Ｂは、ホース抱囲部の溝幅Ｅよりもホース抱囲部４ｃの肉厚分だけ広くなっているが、該第一幅広部４ｄの孔幅Ｂを広く設定することにより、前記ウォッシャホース保持作業時において指でウォッシャホース３を板状部一面側から他面側に押し込みやすいようになっていると共に、第一幅広部４ｄと幅狭部４ｅとの境界を認識しやすいように配慮されている。
【００１１】
さらに、ウォッシャタンク１をブロー成形するにあたり、前記ホース保持孔４ｂおよびホース抱囲部４ｃの部位は、型割線が図６の太線に示す線上となるように設定される。そして、ブロー成形時に型割線上に発生するバリを、ホース保持部４の他面側から（図６のＸ側から）カッター等で除去することにより、ウォッシャホース３が接するエッジ部位のバリを無くすことができるが、この場合、バリ取り作業をしずらいホース抱囲部４ｃの下側テーパ部４ｈの面には型割線がこないため、このホース抱囲部４ｃに発生するバリはウォッシャホース３に干渉することは無く、該部分のバリ除去行程を削除することも可能となる。
【００１２】
一方、５はウォッシャタンク１の上部に形成されるウォッシャ液の注入口であって、該注入口５には開閉自在な蓋体６が取付けられるが、さらに注入口５の外周側には、上側ほど大径となったラッパ形状のウォッシャ液受け体７が嵌め込まれている。そして、該ウォッシャ液受け体７によりウォッシャ液を注入する際にこぼれたウォッシャ液を受け止めることができるようになっているが、このウォッシャ液受け体７には切欠き部７ａが形成されていて、該切欠き部７ａから、前記ウォッシャ受け体７に受け止められたウォッシャ液が流れ落ちるようになっている。
また、前記切欠き部７ａは、本実施の形態ではウォッシャタンク１の背面（便宜上、ウォッシャポンプ２が配設される側をウォッシャタンク１の正面とする）側に位置するように取付けられるが、該ウォッシャタンク１の背面には傾斜状部２ａが形成されている。そして、前記切欠き部７ａから流れ落ちたウォッシャ液は、傾斜状部２ａにガイドされるようにして下方に流れるようになっているが、さらにウォッシャタンク１の下面には、上記傾斜状部２ａを流れ落ちたウォッシャ液をウォッシャタンク１の下方の所定方向に導くためのガイド板８が形成されている。而して、前記注入口５からこぼれたウォッシャ液は、ウォッシャ液受け体７で受け止められ、切欠き部７ａ、傾斜状部２ａ、ガイド板８にガイドされてウォッシャタンク１の下方の所定方向に流れ落ちるようになっており、これによってウォッシャポンプ２への被水を防止できると共に、上記所定方向以外の部位に配設される部品装置がウォッシャ液により被水してしまうことを防止できるようになっている。尚、前記ガイド板８は、ウォッシャタンク１の下面の型割線上に形成されていて、ウォッシャタンク１のブロー成形と一体成形される。
【００１３】
叙述の如く構成されたものにおいて、ウォッシャポンプ２の吐出口に連結されたウォッシャホース３は、ウォッシャタンク１に一体形成されるホース保持部４により保持されてウォッシャタンク１の上方に導かれるが、この場合ウォッシャホース３は、ホース保持部４の板状部４ａに開設されたホース保持孔４ｂに、保持される部分の両側部位が板状部４ａの一面側に位置し、中間部位が他面側に位置するようにして挿通され、そして該板状部他面側に位置するホース中間部位は、ホース保持孔４ｂに形成される幅狭部４ｅにより板状部一面側への抜け止め係止がなされることになる。
この結果、ウォッシャホース３を引き回すことなく確実に保持できることになって、ホース長を短くすることができる。しかも、ブロー成形時にホース保持孔４ｂ部位に発生するバリは、直線状のものであって板状部４ａの他面側から容易に除去することができ、生産性が向上する。
【００１４】
しかも、前記ホース保持孔４ｂを形成する第二幅広部４ｆは、その孔幅がウォッシャホース３の外径よりも僅かに狭く設定されていて、ホース保持孔４ｂに挿通されたウォッシャホース３がホース保持孔４ｂの孔長方向（ホース長方向）に動いてしまうことを規制でき、而してより確実なウォッシャホース３の保持を行うことができる。
【００１５】
さらにこのものにおいて、前記ホース保持孔４ｂの上側には、板状部４ａの一面側が陥没し、他面側が膨出してウォッシャホース３のホース保持孔挿通部の上方部位を嵌合する凹溝状のホース抱囲部４ｃが形成されているから、ホース保持孔４ｂを挿通したウォッシャホース３は殆ど曲がることなくホース抱囲部４ｃに嵌合されてウォッシャタンク１の上方に向けて導かれることになって、ウォッシャホース３を曲りの少ない状態でさらに確実に保持できると共に、ウォッシャホース３を上方に向けてしっかりとレイアウトすることができる。
また、ウォッシャタンク１のブロー成形時においてホース抱囲部４ｃ部に発生するバリは、前記ホース保持孔４ｂのバリ除去と合わせて板状部４ａの他面側から除去することができて、都合がよい。
【図面の簡単な説明】
【図１】ウォッシャタンクの正面図である。
【図２】ウォッシャタンクの平面図である。
【図３】ウォッシャタンクの背面側斜視図である。
【図４】（Ａ）はホース保持部の正面図、（Ｂ）は（Ａ）の縦断面図、（Ｃ）は（Ａ）の平面図である。
【図５】ホース保持部のウォッシャホース保持状態を示す斜視図である。
【図６】ホース保持孔およびホース抱囲部の型割線を示す図である。
【図７】（Ａ）、（Ｂ）、（Ｃ）は従来のホース保持部を示す図である。
【符号の説明】
１    ウォッシャタンク
２    ウォッシャポンプ
３    ウォッシャホース
４ａ  板状部
４ｂ  ホース保持孔
４ｃ  ホース抱囲部
４ｅ  幅狭部
４ｆ  第二幅広部
【図１】
0003560851.tif 000002
【図２】
0003560851.tif 000003
【図３】
0003560851.tif 000004
【図４】
0003560851.tif 000005
【図５】
0003560851.tif 000006
【図６】
0003560851.tif 000007
【図７】
0003560851.tif 000008